(57)【要約】本発明は，ハイブリッド端末機との間でパケットデータを交換する１ｘＥＶ−ＤＯ伝送機と音声またはデータを交換する１Ｘ伝送機とを含む基地局伝送機と；１ｘＥＶ−ＤＯ伝送機のパケットデータ伝送サービスを制御する１ｘＥＶ−ＤＯ制御機と１Ｘ伝送機の伝送サービスを制御する１Ｘ制御機とを含む基地局制御機と；１Ｘシステムの低速データ伝送サービスを受ける１Ｘモードと，１ｘＥＶ−ＤＯシステムの高速データ伝送サービスを受ける１ｘＥＶ−ＤＯモードとの両方で動作し，１ｘＥＶ−ＤＯシステムとのトラフィック状態で１Ｘシステムに周期的に転換され，転換を基地局伝送機と基地局制御機に通知する通知信号を伝送するハイブリッド端末機とからなる。
2006512870.tif 000002
【特許請求の範囲】
【請求項１】
ハイブリッド端末機が１Ｘモードに転換される際，ＣＤＭＡ２０００  １ｘＥＶ−ＤＯシステム（１ｘＥＶ−ＤＯシステム）に１ｘＥＶ−ＤＯモードから１Ｘモードへの転換を通知するシステムであって，
１Ｘシステムと連動して音声信号伝送サービスまたは低速データ伝送サービスを前記１Ｘシステムから受ける前記１Ｘモードと，前記１ｘＥＶ−ＤＯシステムと連動して高速データ伝送サービスを前記１ｘＥＶ−ＤＯシステムから受ける前記１ｘＥＶ−ＤＯモードとの２つのモードで機能し，前記１ｘＥＶ−ＤＯシステムとのトラフィック状態において，オーバーヘッドメッセージを更新するために前記１Ｘモードに周期的に転換され，かつ，前記１ｘＥＶ−ＤＯモードから前記１Ｘモードへの転換を前記１ｘＥＶ−ＤＯシステムに通知する所定の信号を伝送する前記ハイブリッド端末機と；
前記ハイブリッド端末機との間でパケットデータを送受信する１ｘＥＶ−ＤＯ伝送機と，前記ハイブリッド端末機との間で音声またはデータを送受信する１Ｘ伝送機とを含む基地局伝送機と；
前記１ｘＥＶ−ＤＯ伝送機のパケットデータ伝送サービスを制御する１ｘＥＶ−ＤＯ制御機と，前記１Ｘ伝送機の伝送サービスを制御する１Ｘ制御機とを含む基地局制御機と；
前記１ｘＥＶ−ＤＯシステムとの間で前記パケットデータを送受信するために，前記１ｘＥＶ−ＤＯ制御機に接続されるパケットデータサービングノード（ＰＤＳＮ）と；
を備えること特徴とする，１ｘＥＶ−ＤＯモードから１Ｘモードへの転換を通知するシステム。
【請求項２】
前記ハイブリッド端末機は，待機状態に際して前記１Ｘシステムと通信を行うために前記１Ｘモードに転換され，前記１ｘＥＶ−ＤＯシステムを通じてのデータ着信の有無を確認するために，所定の時間間隔で前記１ｘＥＶ−ＤＯモードに周期的に転換されて，再び前記１Ｘモードに復帰することを特徴とする，請求項１に記載の１ｘＥＶ−ＤＯモードから１Ｘモードへの転換を１ｘＥＶ−ＤＯシステムに通知するシステム。
【請求項３】
前記ハイブリッド端末機は，前記１ｘＥＶ−ＤＯモードで前記１ｘＥＶ−ＤＯシステムから高速データを受信しながら，前記１Ｘシステムを通じての信号着信の有無を確認するために所定の時間間隔で前記１Ｘモードに周期的に転換されて，再び前記１ｘＥＶ−ＤＯモードに復帰することを特徴とする，請求項１に記載の１ｘＥＶ−ＤＯモードから１Ｘモードへの転換を１ｘＥＶ−ＤＯシステムに通知するシステム。
【請求項４】
前記１ｘＥＶ−ＤＯシステムから前記ハイブリッド端末機にデータを伝送する順方向リンクの場合には，ＴＤＭＡ（Ｔｉｍｅ  Ｄｉｖｉｓｉｏｎ  Ｍｕｌｔｉｐｌｅ  Ａｃｃｅｓｓ）
方式が用いられ，前記ハイブリッド端末機から前記１ｘＥＶ−ＤＯシステムにデータを伝送する逆方向リンクの場合には，ＣＤＭＡ（Ｃｏｄｅ  Ｄｉｖｉｓｉｏｎ  Ｍｕｌｔｉｐｌｅ  Ａｃｃｅｓｓ）方式が用いられることを特徴とする，請求項１に記載の１ｘＥＶ−ＤＯモードから１Ｘモードへの転換を１ｘＥＶ−ＤＯシステムに通知するシステム。
【請求項５】
前記順方向リンクの場合には，電力制御を行わずに最大電力でデータを伝送することによりハードハンドオフが実行され，前記逆方向リンクの場合には，各々のハイブリッド端末機に対して電力制御を行うとともにソフトハンドオフが実行されることを特徴とする，請求項４に記載の１ｘＥＶ−ＤＯモードから１Ｘモードへの転換を１ｘＥＶ−ＤＯシステムに通知するシステム。
【請求項６】
前記ハイブリッド端末機は，ＭＳＭ(Ｍｏｂｉｌｅ  Ｓｔａｔｉｏｎ  Ｍｏｄｅｍ)チップの制御の下でサーチャー(Ｓｅａｒｃｈｅｒ)モジュールを用いて，前記１Ｘシステムの周波数を追跡することにより，前記１ｘＥＶ−ＤＯモードから前記１Ｘモードに転換されることを特徴とする，請求項１に記載の１ｘＥＶ−ＤＯモードから１Ｘモードへの転換を１ｘＥＶ−ＤＯシステムに通知するシステム。
【請求項７】
前記順方向リンクは，
前記１ｘＥＶ−ＤＯシステムによる前記ハイブリッド端末機の追跡のためのパイロット信号を送出するために用いられるパイロットチャネルと；
前記逆方向リンクを制御するために用いられるＭＡＣ(Ｍｅｄｉｕｍ  Ａｃｃｅｓｓ  Ｃｏｎｔｒｏｌ)チャネルと；
前記１ｘＥＶ−ＤＯシステムから前記ハイブリッド端末機に，ブロードキャストメッセージ，または特定のハイブリッド端末機を直接制御するためのダイレクトメッセージを伝送するために用いられる制御チャネルと；
前記１ｘＥＶ−ＤＯシステムから前記ハイブリッド端末機に，パケットデータのみを伝送するために用いられるトラフィックチャネルと；
を含むことを特徴とする，請求項４に記載の１Ｘモードへの転換に際して１ｘＥＶ−ＤＯシステムに転換を１ｘＥＶ−ＤＯシステムに通知するシステム。
【請求項８】
前記ハイブリッド端末機から伝送された通信呼に対して，通信接続経路を転換することにより，前記１Ｘシステムの通信接続経路を提供するための移動交換局をさらに備えることを特徴とする，請求項１に記載の１ｘＥＶ−ＤＯモードから１Ｘモードへの転換を１ｘＥＶ−ＤＯシステムに通知するシステム。
【請求項９】
ハイブリッド端末機が１Ｘモードに転換される際，ＣＤＭＡ２０００  １ｘＥＶ−ＤＯシステム（１ｘＥＶ−ＤＯシステム）に１ｘＥＶ−ＤＯモードから１Ｘモードへの転換を通知する方法であって，
（ａ）前記ハイブリッド端末機が前記１Ｘモードおよび前記１ｘＥＶ−ＤＯモードを順次に初期化し，待機状態を維持するステップと；
（ｂ）前記ハイブリッド端末機が前記待機状態において前記１Ｘモードと前記１ｘＥＶ−ＤＯモードに対してデュアルモニタリングを実行するステップと；
（ｃ）前記ハイブリッド端末機が前記１ｘＥＶ−ＤＯモードのトラフィック状態に移行し，前記１ｘＥＶ−ＤＯシステムとの間にコネクションおよびセッションが形成されることにより，前記１ｘＥＶ−ＤＯシステムとの間でパケットデータの送受信を可能ならしめるステップと；
（ｄ）所定のモニタリング時間の経過後，前記ハイブリッド端末機が前記１ｘＥＶ−ＤＯシステムに所定の信号を伝送した後，前記１Ｘモードに転換されるステップと；
（ｅ）前記１ｘＥＶ−ＤＯシステムが，前記ハイブリッド端末機の前記１Ｘモードへの転換を判断するために，前記所定の信号を受信および復調するステップと；
を含むことを特徴とする，１ｘＥＶ−ＤＯモードから１Ｘモードへの転換を１ｘＥＶ−ＤＯシステムに通知する方法。
【請求項１０】
前記ステップ（ａ）において，
前記ハイブリッド端末機は，前記１Ｘモードの初期化に際して得たシステムパラメータを用いて，前記１ｘＥＶ−ＤＯモードを初期化することを特徴とする，請求項９に記載の１ｘＥＶ−ＤＯモードから１Ｘモードへの転換を１ｘＥＶ−ＤＯシステムに通知する方法。
【請求項１１】
前記ステップ（ｄ）において，
前記転換は，ＭＳＭチップの制御の下で前記１Ｘシステムの周波数を追跡するサーチャーモジュールを用いることにより実行されることを特徴とする，請求項９に記載の１ｘＥＶ−ＤＯモードから１Ｘモードへの転換を１ｘＥＶ−ＤＯシステムに通知する方法。
【請求項１２】
前記ステップ（ｄ）において，
前記モニタリング時間は，前記ハイブリッド端末機が前記１ｘＥＶ−ＤＯシステムに接続した時点から前記１Ｘモードに転換されるまでの接続時間であることを特徴とする，請求項９に記載の１ｘＥＶ−ＤＯモードから１Ｘモードへの転換を１ｘＥＶ−ＤＯシステムに通知する方法。
【請求項１３】
前記モニタリング時間は５．１２秒であることを特徴とする，請求項１２に記載の１ｘＥＶ−ＤＯモードから１Ｘモードへの転換を１ｘＥＶ−ＤＯシステムに通知する方法。
【請求項１４】
前記ステップ（ｄ）において，
前記ハイブリッド端末機は，前記所定の信号を逆方向リンクのＤＲＣチャネルを通じて伝送することを特徴とする，請求項９に記載の１ｘＥＶ−ＤＯモードから１Ｘモードへの転換を１ｘＥＶ−ＤＯシステムに通知する方法。
【請求項１５】
前記所定の信号は，前記ハイブリッド端末機の前記１Ｘモードへの転換を通知する予め設定されたＤＲＣカバー値に関する情報を含むことを特徴とする，請求項１４に記載の１ｘＥＶ−ＤＯモードから１Ｘモードへの転換を１ｘＥＶ−ＤＯシステムに通知する方法。
【請求項１６】
前記ステップ（ｅ）において，
前記１ｘＥＶ−ＤＯシステムは，前記１Ｘモードに転換された前記ハイブリッド端末機が所定の時間以内に呼出信号に応答を示さなければ，前記ハイブリッド端末機との呼接続解除を実行することを特徴とする，請求項９に記載の１ｘＥＶ−ＤＯモードから１Ｘモードへの転換を１ｘＥＶ−ＤＯシステムに通知する方法。
【請求項１７】
前記ステップ（ｅ）において，
前記１ｘＥＶ−ＤＯシステムは，前記１Ｘモードに転換された前記ハイブリッド端末機が所定の時間以内に呼出信号に応答を示さなければ，前記ハイブリッド端末機の前記１Ｘモードへの転換により，前記ハイブリッド端末機の呼接続解除が生じていると判断することを特徴とする，請求項９に記載の１ｘＥＶ−ＤＯモードから１Ｘモードへの転換を１ｘＥＶ−ＤＯシステムに通知する方法。
【請求項１８】
前記１ｘＥＶ−ＤＯシステムは，受信された前記所定の信号の復調を通じて前記ＤＲＣカバー値を確認することにより，前記ハイブリッド端末機の前記１Ｘモードへの転換を判断することを特徴とする，請求項１５または１７に記載の１ｘＥＶ−ＤＯモードから１Ｘモードへの転換を１ｘＥＶ−ＤＯシステムに通知する方法。
【請求項１９】
前記所定の時間は，前記１ｘＥＶ−ＤＯシステムの規格に定義される５．１２秒であることを特徴とする，請求項１６または１７に記載の１ｘＥＶ−ＤＯモードから１Ｘモードへの転換を１ｘＥＶ−ＤＯシステムに通知する方法。
【請求項２０】
１ｘＥＶ−ＤＯシステムに１ｘＥＶ−ＤＯモードから１Ｘモードへの転換を通知することにより，前記１ｘＥＶ−ＤＯシステムに対する呼接続解除を防止することができるハイブリッド端末機であって，
前記１ｘＥＶ−ＤＯシステムと１Ｘシステムとをデュアルモニタリングするために，モニタリング時間を繰り返し測定するタイマーと；
前記１Ｘモードと前記１ｘＥＶ−ＤＯモードとの間における前記転換を検知するために周波数を追跡および変更し，オーバーヘッドメッセージを受信するサーチャーモジュールと；
前記サーチャーモジュールが受信した前記オーバーヘッドメッセージを復調するフィンガーモジュールと；
前記１Ｘシステムと前記１ｘＥＶ−ＤＯシステムとを交互に周期的に検索し，前記ハイブリッド端末機の前記１Ｘモードへの転換に際して前記転換を通知する所定の信号を生成し，前記サーチャーモジュールを通じて前記１ｘＥＶ−ＤＯシステムに伝送するＭＳＭチップと；
を備えることを特徴とする，１ｘＥＶ−ＤＯモードから１Ｘモードへの転換を１ｘＥＶ−ＤＯシステムに通知するハイブリッド端末機。
【請求項２１】
前記ハイブリッド端末機は，前記１Ｘモードまたは前記１ｘＥＶ−ＤＯモードにおいて動作するために，前記１Ｘシステムまたは前記１ｘＥＶ−ＤＯシステムで使用する周波数を所定のモニタリング時間に応じて検索することを特徴とする，請求項２０に記載の１ｘＥＶ−ＤＯモードから１Ｘモードへの転換を１ｘＥＶ−ＤＯシステムに通知するハイブリッド端末機。
【請求項２２】
前記所定の信号は，前記１ｘＥＶ−ＤＯシステムと前記ハイブリッド端末機との間で予め設定され，前記ハイブリッド端末機の前記１Ｘモードへの転換を通知するＤＲＣカバー値を含むことを特徴とする，請求項２０に記載の１ｘＥＶ−ＤＯモードから１Ｘモードへの転換を１ｘＥＶ−ＤＯシステムに通知するハイブリッド端末機。
【請求項２３】
前記ハイブリッド端末機は，前記所定の信号をＤＲＣチャネルを通じて前記１ｘＥＶ−ＤＯシステムに送出することを特徴とする，請求項２０に記載の１ｘＥＶ−ＤＯモードから１Ｘモードへの転換を１ｘＥＶ−ＤＯシステムに通知するハイブリッド端末機。
【発明の詳細な説明】
【技術分野】
【０００１】
本発明は，ハイブリッド（接続）端末機(ｈｙｂｒｉｄ  ａｃｃｅｓｓ  ｔｅｒｍｉｎａｌ)が１ｘＥＶ−ＤＯモードから１Ｘモードに転換される際，１ｘＥＶ−ＤＯシステムに転換を通知する方法およびシステムに係り，より詳細には，１ｘＥＶ−ＤＯシステムとトラフィック状態にあるハイブリッド端末機が１Ｘシステムの検索のために１Ｘモードに転換される際，１ｘＥＶ−ＤＯシステムに転換を通知する信号を生成し，この信号を逆方向リンクの所定のチャネルに負荷することにより１ｘＥＶ−ＤＯシステムに伝送することができる方法およびシステムに関する。
【背景技術】
【０００２】
移動通信システムは，第１世代アナログ型ＡＭＰＳ（Ａｄｖａｎｃｅｄ  Ｍｏｂｉｌｅ  Ｐｈｏｎｅ  Ｓｙｓｔｅｍｓ）と第２世代携帯電話／ＰＣＳ（Ｐｅｒｓｏｎａｌ  Ｃｏｍｍｕｎｉｃａｔｉｏｎ  Ｓｅｒｖｉｃｅ）システムを経て目覚しく発展してきた。最近では，ＩＭＴ-２０００（Ｉｎｔｅｒｎａｔｉｏｎａｌ  Ｍｏｂｉｌｅ  Ｔｅｌｅｃｏｍｍｕｎｉｃａｔｉｏｎ-２０００）が開発され，第３世代高速データ通信システムとして広範に利用されている。
【０００３】
共同的な国際標準化団体である３ＧＰＰ２（３ｒｄ  Ｇｅｎｅｒａｔｉｏｎ  Ｐａｒｔｎｅｒｓｈｉｐ  Ｐｒｏｊｅｃｔ  ２）は，マルチメディア移動通信サービスの提供のために，ＩＭＴ-２０００の規格としてＣＤＭＡ  ＩＭＴ−２０００システム規格を提供する。この規格によれば，Ｑｕａｌｃｏｍ社により提唱されたＨＤＲ（Ｈｉｇｈ  Ｄａｔａ  Ｒａｔｅ）を採用した１ｘＥＶ（ＥＶｏｌｕｔｉｏｎ）と呼ばれる高速パケット伝送システムが高速パケット伝送システムの国際標準とされている。ＣＤＭＡ２０００  １ｘＥＶ−ＤＯ（Ｄａｔａ  ＯｐｔｉｍｉｚｅｄまたはＤａｔａ  Ｏｎｌｙ）システムは，ＣＤＭＡ２０００  １Ｘシステムから進化し，データのみの伝送のために設計されている。
【０００４】
説明の便宜上，以下の記述においては，ＣＤＭＡ２０００  １Ｘシステムを“１Ｘシステム”，ＣＤＭＡ２０００  １ｘＥＶ−ＤＯシステムを“１ｘＥＶ−ＤＯシステム”と略称する。
【０００５】
１Ｘシステムは，回線(ｃｉｒｃｕｉｔ)網とパケット(ｐａｃｋｅｔ)網の両方を混用し，最大伝送速度３０７．２ｋｂｐｓを伴う高速データサービスを提供する。対照的に，１ｘＥＶ−ＤＯシステムは，パケットデータ専用で，最大伝送速度２．４Ｍｂｐｓを伴う高速パケットデータサービスを提供する。
【０００６】
現在，１ｘＥＶ−ＤＯシステムは，従来の１Ｘシステムとともに混用されている。すなわち，１ｘＥＶ−ＤＯシステムと従来の１Ｘシステムの両方が，互いに別々に動作するにもかかわらず，１つの無線基地局または１つの基地局制御機に導入されている。換言すれば，無線基地局の伝送機は，１ｘＥＶ−ＤＯシステム用のチャネルカード(ｃｈａｎｎｅｌ  ｃａｒｄ)と１Ｘシステム用のチャネルカードをそれぞれ備えている。さらに，基地局制御機は，１ｘＥＶ−ＤＯシステムを通じて伝送されるパケットデータを処理するデータ処理ボードと，１Ｘシステムを通じて伝送されるデータを処理するデータ処理ボードとをそれぞれ備えている。
【０００７】
高速データは，１ｘＥＶ−ＤＯシステムを通じて，無線基地局または基地局制御機などの移動通信システムから移動通信端末機に伝送される。また，音声信号または低速データは，１Ｘシステムを通じて移動通信端末機に伝送される。
【０００８】
ハイブリッド端末機は，１ｘＥＶ−ＤＯシステムと１Ｘシステムの両方から伝送される通信サービスを受信できる移動通信端末機であり，所定の時間間隔で１Ｘシステムと１ｘＥＶ−ＤＯシステムを周期的に交互にモニタリングする。すなわち，ハイブリッド端末機は，待機状態に際して１Ｘシステムと１ｘＥＶ−ＤＯシステムを交互に周期的に検索し，１ｘＥＶ−ＤＯシステムとのトラフィック状態に際して１Ｘシステムを周期的に検索する。
【０００９】
具体的には，１ｘＥＶ−ＤＯシステムとトラフィック状態にあるハイブリッド端末機は，１Ｘシステムから伝送されるかもしれない音声着呼受付信号やショートメッセージなどの低速データ通信信号に応答するために，１Ｘシステムに周期的に接続してシステムメッセージやアクセスメッセージなどのシステムリソ−スを更新する。
【００１０】
しかし，ハイブリッド端末機は，１ｘＥＶ−ＤＯシステムとトラフィック状態にある場合でさえ，１Ｘシステムに周期的に接続してシステムリソースが完全に更新されるまで１Ｘシステムとの接続を維持する。
【００１１】
一方，１ｘＥＶ−ＤＯシステムは，トラフィック状態にあるハイブリッド端末機からの信号を所定の時間間隔（例えば５．１２秒間）以内に受信しない場合，呼接続解除(ｃａｌｌ  ｄｒｏｐ)を実行する。すなわち，１ｘＥＶ−ＤＯシステムは，原因にかかわらず，ハイブリッド端末機からの信号を所定の時間間隔以内に検知しない場合，システムリソースを效率的に使用するために，このハイブリッド端末機に対して呼接続解除を実行する。
【００１２】
しかし，現在の１ｘＥＶ−ＤＯシステムは，呼接続解除の原因を利用者に提供しない構造になっている。換言すれば，１ｘＥＶ−ＤＯシステムに呼接続中のハイブリッド端末機が電波陰影地域へ移動した場合，通信システムが機能障害を起こした場合，あるいはハイブリッド端末機が１Ｘシステムに転換される場合など，様々な状況で呼接続解除が生じるにもかかわらず，１ｘＥＶ−ＤＯシステムは，呼接続解除の正確な原因に関する情報を利用者に提供しない。
【発明の開示】
【発明が解決しようとする課題】
【００１３】
本発明はこのような問題点に鑑みてなされたもので，その目的は，１ｘＥＶ−ＤＯシステムとのトラフィック状態にあるハイブリッド端末機が１Ｘシステムの検索のために１Ｘモードに転換される際，１ｘＥＶ−ＤＯシステムに転換を通知する信号を生成し，この信号を逆方向リンクの所定のチャンネルに負荷することにより，１ｘＥＶ−ＤＯシステムに伝送することができるシステムおよび方法を提供することである。
【課題を解決するための手段】
【００１４】
上記課題を解決するため，本発明の第１の観点によれば，ハイブリッド端末機が１Ｘモードに転換される際，ＣＤＭＡ２０００  １ｘＥＶ−ＤＯシステム（１ｘＥＶ−ＤＯシステム）に１ｘＥＶ−ＤＯモードから１Ｘモードへの転換を通知するシステムであって，１Ｘシステムおよび該１ｘＥＶ−ＤＯシステムと連動して機能し，該１ｘＥＶ−ＤＯシステムとのトラフィック状態にある該ハイブリッド端末機は，該１Ｘシステムを検索するために該１Ｘモードに周期的に転換され，該１Ｘモードに転換されると，該１ｘＥＶ−ＤＯモードから該１Ｘモードへの転換を該１ｘＥＶ−ＤＯシステムに通知する所定の信号を伝送するハイブリッド端末機と；該ハイブリッド端末機との間でパケットデータを送受信する１ｘＥＶ−ＤＯ伝送機と，該ハイブリッド端末機との間で音声またはデータを送受信する１Ｘ伝送機とを含む基地局伝送機と；該１ｘＥＶ−ＤＯ伝送機のパケットデータ伝送サービスを制御する１ｘＥＶ−ＤＯ制御機と，該１Ｘ伝送機の伝送サービスを制御する１Ｘ制御機とを含む基地局制御機と；該１ｘＥＶ−ＤＯシステムとの間で該パケットデータを送受信するために，該１ｘＥＶ−ＤＯ制御機に接続されるパケットデータサービングノード（ＰＤＳＮ）と；を備えるシステムが提供される。
【００１５】
また，本発明の第２の観点によれば，ハイブリッド端末機が１Ｘモードに転換される際，ＣＤＭＡ２０００  １ｘＥＶ−ＤＯシステム（１ｘＥＶ−ＤＯシステム）に１ｘＥＶ−ＤＯモードから１Ｘモードへの転換を通知する方法であって，（ａ）該ハイブリッド端末機が該１Ｘモードおよび該１ｘＥＶ−ＤＯモードを順次に初期化し，待機状態を維持するステップと；（ｂ）該ハイブリッド端末機が該待機状態において該１Ｘモードと該１ｘＥＶ−ＤＯモードに対してデュアルモニタリングを行うステップと；（ｃ）該ハイブリッド端末機が該１ｘＥＶ−ＤＯモードのトラフィック状態に移行し，該１ｘＥＶ−ＤＯシステムとの間にコネクションおよびセッションが形成されることにより，該１ｘＥＶ−ＤＯシステムとの間でパケットデータの送受信を可能ならしめるステップと；（ｄ）所定のモニタリング時間の経過後，該ハイブリッド端末機が該１ｘＥＶ−ＤＯシステムに所定の信号を伝送した後，該１Ｘモードに転換されるステップと；（ｅ）該１ｘＥＶ−ＤＯシステムが，該ハイブリッド端末機の該１Ｘモードへの転換を判断するために，該所定の信号を受信および復調するステップと；を含む方法が提供される。
【００１６】
また，本発明の第３の観点によれば，１ｘＥＶ−ＤＯシステムに１ｘＥＶ−ＤＯモードから１Ｘモードへの転換を通知することにより，該１ｘＥＶ−ＤＯシステムに対する呼接続解除を防止することができるハイブリッド端末機であって，該１ｘＥＶ−ＤＯシステムと１Ｘシステムとをデュアルモニタリングするために，モニタリング時間を繰り返し測定するタイマーと；該１Ｘモードと該１ｘＥＶ−ＤＯモードとの間における該転換を検知するために周波数を追跡および変更し，オーバーヘッドメッセージを受信するサーチャーモジュールと；該サーチャーモジュールが受信した該オーバーヘッドメッセージを復調するフィンガーモジュールと；該１Ｘシステムと該１ｘＥＶ−ＤＯシステムとを交互に周期的に検索し，該ハイブリッド端末機の該１Ｘモードへの転換に際して該転換を通知する所定の信号を生成し，該サーチャーモジュールを通じて該１ｘＥＶ−ＤＯシステムに伝送するＭＳＭチップと；を備えるハイブリッド端末機が提供される。
【発明の効果】
【００１７】
上記のとおり，呼接続解除の原因を認識せずにハイブリッド端末機に対して呼接続解除を実行していた従来の１ｘＥＶ−ＤＯシステムと異なり，本発明によれば，ハイブリッド端末機が１Ｘモードに転換される際に１ｘＥＶ−ＤＯシステムに転換を通知するため，１Ｘモードへの転換中に呼接続解除されたハイブリッド端末機の呼接続解除の原因を直ちに把握することができる。
【００１８】
また，本発明によれば，ハイブリッド端末機は，１ｘＥＶ−ＤＯシステムがハイブリッド端末機の呼接続解除の原因を認知できるように，１ｘＥＶ−ＤＯシステムに逆方向チャンネルを用いて転換を通知する。よって，１ｘＥＶ−ＤＯシステムのシステムリソースを追加的に使用する必要がなくなり，１ｘＥＶ−ＤＯシステムが過負荷に陥ることを防ぐ。
【発明を実施するための最良の形態】
【００１９】
以下に，添付した図面を参照しながら，本発明の好適な実施形態について詳細に説明する。なお，本明細書および図面において，実質的に同一の機能構成を有する発明特定事項については，同一の符号を付することにより重複説明を省略する。
【００２０】
図１は，本発明の一実施形態により，ハイブリッド端末機１１０が１Ｘシステムに転換される際，１ｘＥＶ−ＤＯシステムに転換を通知するシステム１００を示す概略ブロック図である。
【００２１】
図１に示すとおり，本発明によるシステム１００は，１ｘＥＶ−ＤＯシステムと１Ｘシステムの両方を備える。すなわち，システム１００は，１Ｘ伝送機１２２，１Ｘ制御機１３２，および移動通信交換局（ＭＳＣ：Ｍｏｂｉｌｅ  Ｓｗｉｔｃｈｉｎｇ  Ｃｅｎｔｅｒ）１４０を含み，ハイブリッド端末機１１０と音声およびデータ通信を行う１Ｘシステムを備える。さらに，システム１００は，１ｘＥＶ−ＤＯ（接続網）伝送機（ＡＮＴＳ：Ａｃｃｅｓｓ  Ｎｅｔｗｏｒｋ  Ｔｒａｎｓｃｅｉｖｅｒ  Ｓｕｂｓｙｓｔｅｍ）１２４，１ｘＥＶ−ＤＯ（接続網）制御機（ＡＮＣ：Ａｃｃｅｓｓ  Ｎｅｔｗｏｒｋ  Ｃｏｎｔｒｏｌｌｅｒ）１３４，パケットデータサービングノード(ＰＤＳＮ：Ｐａｃｋｅｔ  Ｄａｔａ  Ｓｅｒｖｉｎｇ  Ｎｏｄｅ)１５０，およびＩＰ(Ｉｎｔｅｒｎｅｔ  Ｐｒｏｔｏｃｏｌ)網１６０を含み，ハイブリッド端末機１１０とデータ通信のみを行う１ｘＥＶ−ＤＯシステムを備える。
【００２２】
ハイブリッド端末機１１０は，１Ｘシステムから音声サービスおよび低速データサービスを受信する部分と，１ｘＥＶ−ＤＯシステムから高速データサービスを受信する部分とで別々に動作する２つの動作部に区分される。ハイブリッド端末機１１０は，待機状態に際しては，１Ｘシステムと通信できるように１Ｘモードに転換される。この状態において，ハイブリッド端末機１１０は，１ｘＥＶ−ＤＯシステムからのデータ着信の有無を確認するために，所定の時間間隔で周期的に１ｘＥＶ−ＤＯモードに転換され，再び１Ｘモードに復帰する。本発明の一実施形態によれば，１ｘＥＶ−ＤＯシステムとのトラフィック状態にあるハイブリッド端末機１１０が１Ｘモードにスイッチングされることを‘転換’と称し，再び１ｘＥＶ−ＤＯモードにスイッチングされることを‘復帰'と称する。
【００２３】
１Ｘシステムと１ｘＥＶ−ＤＯシステムとの間で行われる転換および復帰動作は，ハイブリッド端末機１１０に実装されているベースバンドモデム（ｂａｓｅｂａｎｄ  ｍｏｄｅｍ）チップの一種である移動局モデム（ＭＳＭ：Ｍｏｂｉｌｅ  Ｓｔａｔｉｏｎ  Ｍｏｄｅｍ）チップに搭載されたソフトウェアを用いて制御される。さらに，転換および復帰動作は，ＭＳＭチップに接続されたサーチャー(ｓｅａｒｃｈｅｒ)を用いて各網（ｎｅｔｗｏｒｋ）の周波数を追跡(ｔｒａｃｋｉｎｇ)することにより実現される。すなわち，ハイブリッド端末機１１０の１ｘＥＶ−ＤＯモードから１Ｘモードへの転換に際しては，サーチャーモジュールがＭＳＭチップの制御の下で１Ｘシステムの周波数を追跡する。さらに，ハイブリッド端末機１１０の１Ｘモードから１ｘＥＶ−ＤＯモードへの復帰に際しては，サーチャーモジュールが１ｘＥＶ−ＤＯシステムの周波数を追跡する。
【００２４】
ハイブリッド端末機１１０が１ｘＥＶ−ＤＯモードにおいて１ｘＥＶ−ＤＯシステムからデータを受信する際には，ハイブリッド端末機１１０が高速データを受信するため，大量のデータが受信される。よって，アクセス網(ＡＮ)からハイブリッド端末機１１０にデータを伝送する順方向リンク(ｆｏｒｗａｒｄ  ｌｉｎｋ)の場合には，ＣＤＭＡ(Ｃｏｄｅ  Ｄｉｖｉｓｉｏｎ  Ｍｕｌｔｉｐｌｅ  Ａｃｃｅｓｓ)方式により分割されたチャンネルがＴＤＭ（Ｔｉｍｅ  Ｄｉｖｉｓｉｏｎ  Ｍｕｌｔｉｐｌｅｘｉｎｇ）方式により分割されたタイムスロット（ｔｉｍｅ  ｓｌｏｔ）を通じてデータを伝送する。対照的に，ハイブリッド端末機１１０から１ｘＥＶ−ＤＯ伝送機１２４および１ｘＥＶ−ＤＯ制御機１３４にデータを伝送する逆方向リンク(ｒｅｖｅｒｓｅ  ｌｉｎｋ)の場合には，複数の加入者（ｓｕｂｓｃｒｉｂｅｒ）のために従来のＣＤＭＡ方式を通じてデータが伝送される。
【００２５】
また，１ｘＥＶ−ＤＯモードのトラフィック状態でデータを受信するハイブリッド端末機１１０は，１Ｘシステムを通じた音声着信などの信号着信の有無を確認するために，所定の時間間隔で周期的に１Ｘモードに転換され，再び１ｘＥＶ−ＤＯモードに復帰する
【００２６】
１Ｘ伝送機１２２および１ｘＥＶ−ＤＯ伝送機１２４は，ハイブリッド端末機１１０に非接触インターフェース（ａｉｒ  ｉｎｔｅｒｆａｃｅ）を通じて音声およびデータを含む移動通信サービスを提供するために，基地局伝送機(ＢＴＳ：Ｂａｓｅ  ｓｔａｔｉｏｎ  Ｔｒａｎｓｃｅｉｖｅｒ  Ｓｕｂｓｙｓｔｅｍ)１２０を構成する。すなわち，基地局伝送機１２０は，ハイブリッド端末機１１０に対して，１Ｘ伝送機１２２を通じて音声またはデータを伝送し，１ｘＥＶ−ＤＯ伝送機１２４を通じてパケットデータのみを伝送する。
【００２７】
１Ｘ制御機１３２および１ｘＥＶ−ＤＯ制御機１３４は，基地局伝送機１２０の動作を制御する基地局制御機(ＢＳＣ：Ｂａｓｅ  Ｓｔａｔｉｏｎ  Ｃｏｎｔｒｏｌｌｅｒ)１３０を構成する。すなわち，音声またはデータの伝送を制御する１Ｘ制御機１３２は，１Ｘ伝送機１２２から伝送される音声および／またはデータを移動通信交換局１４０に送信し，１ｘＥＶ−ＤＯ制御機１３４は，１ｘＥＶ−ＤＯ伝送機１２４から伝送されるデータをＰＤＳＮ１５０に送信する。
【００２８】
ハイブリッド端末機１１０から伝送される通信呼（ｃｏｍｍｕｎｉｃａｔｉｏｎ  ｃａｌｌ）に対して１Ｘシステムの通信接続経路を提供するために，移動通信交換局１４０は，通信接続経路の転換により，複数の１Ｘ制御機１３２を他の移動通信交換局または公衆電話交換網（ＰＳＴＮ：Ｐｕｂｌｉｃ  Ｓｗｉｔｃｈｅｄ  Ｔｅｌｅｐｈｏｎｅ  Ｎｅｔｗｏｒｋ）１４６に物理的に接続する。
【００２９】
また，移動通信交換局１４０は，該交換局１４０に登録されたハイブリッド端末機１１０の情報を格納するデータベースである位置情報レジスタ（ＨＬＲ：Ｈｏｍｅ  Ｌｏｃａｔｉｏｎ  Ｒｅｇｉｓｔｅｒ）１４２と，該交換局１４０の領域内に位置するハイブリッド端末機１１０の情報を格納するデータベースである訪問者情報レジスタ（ＶＬＲ：Ｖｉｓｉｔｏｒ  Ｌｏｃａｔｉｏｎ  Ｒｅｇｉｓｔｅｒ）１４４とからハイブリッド端末機１１０のプロファイル（ｐｒｏｆｉｌｅ）情報を得ることにより，加入者の呼信号を処理する。ここで，プロファイル情報は，ＭＩＮ(Ｍｏｂｉｌｅ  Ｉｄｅｎｔｉｆｉｃａｔｉｏｎ  Ｎｕｍｂｅｒ)，ＥＳＮ(Ｅｌｅｃｔｒｉｃａｌ  Ｓｅｒｉａｌ  Ｎｕｍｂｅｒ)，および付加サービスに関する情報を含む。
【００３０】
高速パケットデータシステムである１ｘＥＶ−ＤＯシステムは，ＴＣＰ／ＩＰを基盤としてＰＤＳＮ１５０に接続され，ＩＰ網１６０との間で各種データをＩＰパケットの形態で送受信する。そして，１ｘＥＶ−ＤＯシステムは，ＩＰ網１６０からパケットデータを受信し，ＴＤＭ方式により分割されたタイムスロットを通じてハイブリッド端末機１１０に送信する。そして，１ｘＥＶ−ＤＯシステムは，ＣＤＭＡ方式により変調されるＣＤＭＡデータをハイブリッド端末機１１０から受信し，ＣＤＭＡデータを用いてパケットデータを生成してＰＤＳＮ１５０に伝送する。
【００３１】
順方向リンクの場合には，１ｘＥＶ−ＤＯシステムは，無線基地局の電力制御(ｐｏｗｅｒ  ｃｏｎｔｒｏｌ)を用いずに最大電力でデータを伝送し，ハードハンドオフ（ｈａｒｄ  ｈａｎｄｏｆｆ）機能のみを提供する。一方，逆方向リンクの場合には，各端末機において電力制御が実行され，ハードハンドオフ機能と同様にソフトハンドオフ（ｓｏｆｔ  ｈａｎｄｏｆｆ）機能を提供する。
【００３２】
さらに，本発明によれば，１ｘＥＶ−ＤＯシステムとトラフィック状態にあり１ｘＥＶ−ＤＯモードで動作されるハイブリッド端末機１１０が１Ｘモードに転換される際には，ハイブリッド端末機１１０は，ＤＲＣカバー（Ｄａｔａ  Ｒａｔｅ  Ｃｏｎｔｒｏｌ  ｃｏｖｅｒ）値（例えば，０，１，２・・・）を有する信号を用いて，１ｘＥＶ−ＤＯシステムにＤＲＣチャネルを通じて転換を通知する。ここで，ＤＲＣチャネルは，図３に詳述するとおり，ハイブリッド端末機１１０から１ｘＥＶ−ＤＯシステムに信号またはデータを伝送する逆方向リンク中に存在する。
【００３３】
よって，１ｘＥＶ−ＤＯシステムは，ハイブリッド端末機１１０からＤＲＣチャネルを通じて１Ｘシステムへの‘転換’を受信すると，ハイブリッド端末機１１０が１Ｘモードで動作されていることを認知する。所定の時間間隔の経過後にハイブリッド端末機１１０の呼接続解除が発生した場合においても，１ｘＥＶ−ＤＯシステムは，呼接続が解除されているハイブリッド端末機１１０が１Ｘモードで動作していることを認知する。もちろん，１ｘＥＶ−ＤＯシステムとハイブリッド端末機１１０との間において，ハイブリッド端末機１１０の１Ｘモードへの転換を示すＤＲＣカバー値が予め設定されている。
【００３４】
図２ａと図２ｂは，１ｘＥＶ−ＤＯシステムを通じてハイブリッド端末機１１０にデータを伝送する順方向リンクのチャネル構造を示すブロック図である。
【００３５】
図２ａに示すとおり，順方向リンクは，パイロットチャネル，ＭＡＣ(Ｍｅｄｉｕｍ  Ａｃｃｅｓｓ  Ｃｏｎｔｒｏｌ)チャネル，制御チャネル，およびトラフィックチャネルを含む。パイロットチャネルは，１ｘＥＶ−ＤＯシステムによるハイブリッド端末機１１０の追跡のためのパイロット信号を送出する。ハイブリッド端末機１１０は，パイロットチャネルを通じて１つ以上のパイロット信号を受信し，最も強い信号を送出した無線基地局に接続する。また，パイロットチャネルは，ハイブリッド端末機１１０を用いて，１ｘＥＶ−ＤＯシステムを有する無線基地局の同期検波(ｃｏｈｅｒｅｎｔ  ｄｅｔｅｃｔｉｏｎ)を行うための基準として用いられる。
【００３６】
ＭＡＣチャネルは，主に逆方向リンクを制御するために用いられ，ＲＡ（Ｒｅｖｅｒｓｅ  Ａｃｔｉｖｉｔｙ）チャネルとＲＰＣ（Ｒｅｖｅｒｓｅ  Ｐｏｗｅｒ  Ｃｏｎｔｒｏｌ）チャネルを含む。ここで，ＲＡチャネルは，逆方向リンクの伝送速度を決定するために用いられる。さらに，逆方向リンクのチャネルが飽和状態にある際には，ＲＡチャネルは，ハイブリッド端末機１１０に伝送速度を低下させるように要求するために用いられる。また，ハイブリッド端末機１１０が逆方向リンクを通じて信号またはデータを伝送する際には，ＲＰＣチャネルが送信電力を制御するために用いられる。
【００３７】
制御チャネルは，１ｘＥＶ−ＤＯシステムからハイブリッド端末機１１０に，ブロードキャストメッセージ(ｂｒｏａｄｃａｓｔ  ｍｅｓｓａｇｅ)または特定のハイブリッド端末機を直接制御するためのダレクトメッセージ(ｄｉｒｅｃｔ  ｍｅｓｓａｇｅ)を伝送するために用いられる。トラフィックチャネルは，１ｘＥＶ−ＤＯシステムがハイブリッド端末機１１０にパケットデータのみを伝送する際に用いられる。
【００３８】
以下では，図２ｂに示すとおり，順方向リンクにおけるタイムスロット構造およびデータ構造について詳述する。まず，順方向リンクは，略２６．６７ｍｓの時間間隔を有する１フレーム当り１６のタイムスロットを含む。さらに，各々のタイムスロットは，前半部スロット(ｆｉｒｓｔ  ｈａｌｆ  ｓｌｏｔ)１０２４チップと後半部スロット(ｓｅｃｏｎｄ  ｈａｌｆ  ｓｌｏｔ)１０２４チップを含む，合計２０４８チップを有する。また，１つのタイムスロット当りに１．６７ｍｓの時間間隔が割り当てられる。
【００３９】
詳細には，前半部および後半部スロットは，それぞれにデータスロット４００チップ，ＭＡＣスロット６４チップ，パイロットスロット９６チップ，ＭＡＣスロット６４チップ，およびデータスロット４００チップを含む。
【００４０】
図３は，ハイブリッド端末機１１０から１ｘＥＶ−ＤＯシステムにデータを伝送する逆方向リンクのチャネル構造を示すブロック図である。
【００４１】
図３に示す逆方向リンクは，１Ｘシステムと同様にＣＤＭＡ方式を用いており，アクセスチャネルとトラフィックチャネルを主に含む。アクセスチャネルがパイロットチャネルとデータチャネルとを有し，トラフィックチャネルがパイロットチャネル，ＭＡＣチャネル，応答（Ａｃｋ）チャネル，およびデータチャネルを有する。ここで，ＭＡＣチャネルは，さらにＲＲＩ（Ｒｅｖｅｒｓｅ  Ｒａｔｅ  Ｉｎｄｉｃａｔｏｒ）チャネルとＤＲＣ（Ｄａｔａ  Ｒａｔｅ  Ｃｏｎｔｒｏｌ）チャネルに区分される。
【００４２】
アクセスチャネルは，発信メッセージ(ｏｒｉｇｉｎａｔｉｏｎ  ｃｏｎｎｅｃｔｉｏｎ＿ｒｅｑｕｅｓｔ  ｍｅｓｓａｇｅ)と登録メッセージ(ｒｅｇｉｓｔｒａｔｉｏｎ  ｒｏｕｔｅ＿ｕｐｄａｔｅ  ｍｅｓｓａｇｅ)を伝送するために用いられる。アクセスチャンネルは，無線チャネルの安定性のために，９．６ｋｂｐｓの低い伝送速度を有する。
【００４３】
図３に示すパイロットチャネルは，図２ａに示す順方向リンクのパイロットチャネルと同様に，ハイブリッド端末機１１０を用いて，１ｘＥＶ−ＤＯシステムを有する無線基地局の同期検波を行うための基準として用いられる。データチャネルは，ハイブリッド端末機１１０が１ｘＥＶ−ＤＯシステムと接続する際に必要とされるデータを伝送するために用いられる。
【００４４】
トラフィックチャネルは，ハイブリッド端末機１１０が１ｘＥＶ−ＤＯシステムにパケットデータを伝送する際に用いられる。トラフィックチャンネルは，無線通信環境に応じて多様なデータ伝送速度を提供する。 
【００４５】
パイロットチャネルは，アクセスチャネルに関連して説明されたように，パイロットチャネルの機能と同一の機能を実行する。ＭＡＣチャネルは，トラフィックチャネルのデータ伝送速度を制御するために用いられ，ハイブリッド端末機１１０が１ｘＥＶ−ＤＯシステムに接続されている期間にわたって存在する。ハイブリッド端末機１１０がトラフィックチャネルを通じてデータを伝送する際には，ＭＡＣチャネルのＲＲＩチャネルがトラフィックチャンネルのデータ伝送速度の情報を示す。ＲＲＩ値は，ハイブリッド端末機１１０に表示される。
【００４６】
また，ＤＲＣチャネルは，順方向リンクのチャネル環境に応じて復調可能なデータの伝送速度を決定し，基地局に通知する。すなわち，１ｘＥＶ−ＤＯ伝送機１２４は，順方向リンクのタイムスロットを用いて，ハイブリッド端末機１１０にパケットデータを伝送する。この際，ハイブリッド端末機１１０により送出されるＤＲＣカバー値は，パケットデータの伝送速度を決定する基準となる。ハイブリッド端末機１１０は，ＤＲＣカバー値を決定するために，１ｘＥＶ−ＤＯ伝送機１２４から伝送される搬送波対干渉雑音（Ｃ／Ｉ：Ｃａｒｒｉｅｒ  ｔｏ  Ｉｎｔｅｒｆｅｒｅｎｃｅ）値を測定し，最大の伝送速度を実現し得るＤＲＣカバー値を決定する。
【００４７】
一方，本発明の一実施形態によれば，ハイブリッド端末機１１０の１Ｘシステムへの転換を示すＤＲＣカバー値は，ハイブリッド端末機１１０と１ｘＥＶ−ＤＯシステムとの間で予め設定されている。例えば，ハイブリッド端末機１１０の１ｘＥＶ−ＤＯシステムから１Ｘシステムへの転換を示すＤＲＣカバー値が‘１'と設定されていれば，ハイブリッド端末機１１０は，ＤＲＣカバー値‘１'をＤＲＣチャネルを通じて１ｘＥＶ−ＤＯシステムに送出した後，１Ｘモードに転換される。よって，１ｘＥＶ−ＤＯシステムは，ハイブリッド端末機１１０から伝送されるＤＲＣカバー値を復調することにより，ハイブリッド端末機１１０の１Ｘモードへの転換を認知する。このために，ハイブリッド端末機１１０の１Ｘモードへの転換を示すＤＲＣカバー値は，ハイブリッド端末機１１０と１ｘＥＶ−ＤＯシステムとの間で予め設定され，それぞれに内装されていなければならない。
【００４８】
図４は，本発明の一実施形態により，ハイブリッド端末機１１０が１Ｘモードに転換される際，１ｘＥＶ−ＤＯシステムから１Ｘシステムへの転換を１ｘＥＶ−ＤＯシステムに通知する方法を示すフロー図である。
【００４９】
ハイブリッド端末機１１０は，利用者により電源オンされると，１Ｘシステムの１Ｘ制御機１３２および１Ｘ伝送機１２２からパイロット信号を受信し，１Ｘモードを初期化し，待機状態に維持される。さらに，ハイブリッド端末機１１０は，１Ｘモードの初期化時に得られたシステムパラメータメッセージと，１ｘＥＶ−ＤＯ伝送機１２４および１ｘＥＶ−ＤＯ制御機１３４から伝送されるパイロット信号とを用いて，１ｘＥＶ−ＤＯモードを初期化した後，待機状態に維持される(Ｓ４００)。
【００５０】
ハイブリッド端末機１１０は，１Ｘモードと１ｘＥＶ−ＤＯモードとを初期化した後，１Ｘシステムと１ｘＥＶ−ＤＯシステムとのデュアルモニタリング（ｄｕａｌ  ｍｏｎｉｔｏｒｉｎｇ）を実行する(Ｓ４０２)。
【００５１】
一方，ハイブリッド端末機１１０は，待機状態に際して１Ｘシステムと１ｘＥＶ−ＤＯシステムをモニタリングする。この状態において，１ｘＥＶ−ＤＯ伝送機１２４からハイブリッド端末機１１０にデータが伝送される場合，あるいはハイブリッド端末機１１０のキー操作により１ｘＥＶ−ＤＯシステムにデータが要求される場合，１ｘＥＶ−ＤＯモードが始動されてデータの送受信のためのトラフィック状態に移行されているかどうかが確認される(Ｓ４０４)。ハイブリッド端末機１１０がトラフィック状態に移行されるためには，１ｘＥＶ−ＤＯ伝送機１２４とハイブリッド端末機１１０との間でデータを送受信できるように，１ｘＥＶ−ＤＯ伝送機１２４との間でコネクション(ｃｏｎｎｅｃｔｉｏｎ)およびセッション(ｓｅｓｓｉｏｎ)が形成されていなければならない。
【００５２】
ハイブリッド端末機１１０は，ステップＳ４０４において１ｘＥＶ−ＤＯモードのトラフィック状態に移行すると，１ｘＥＶ−ＤＯシステムとの間でパケットデータを送受信する(Ｓ４０６)。
【００５３】
ハイブリッド端末機１１０は，トラフィック状態において１ｘＥＶ−ＤＯシステムとの間でパケットデータを送受信している間も，１Ｘシステムを周期的に検索するために，内蔵タイマーを用いて所定の時間（例えば，５．１２秒）が経過したかどうかを確認する(Ｓ４０８)。
【００５４】
ハイブリッド端末機１１０は，ステップＳ４０８において所定の時間が経過したと判断すると，１Ｘシステムへの転換を通知するＤＲＣカバー値を含む信号を逆方向リンクのＤＲＣチャネルを通じて１ｘＥＶ−ＤＯシステムに伝送し，１Ｘシステムに転換される(Ｓ４１０)。
【００５５】
よって，１ｘＥＶ−ＤＯ制御機１３４は，逆方向リンクのＤＲＣチャネルから伝送されるＤＲＣカバー値を含む信号を受信して復調することにより，ハイブリッド端末機１１０の１Ｘモードへの転換を認知する(Ｓ４１２)。
【００５６】
本発明によれば，１ｘＥＶ−ＤＯシステムは，１ｘＥＶ−ＤＯシステムとトラフィック状態にあるハイブリッド端末機１１０の１Ｘモードへの転換をリアルタイムに確認することができ，ハイブリッド端末機１１０が１Ｘモードへの転換中に呼接続解除された場合でもその原因を直ちに把握することができる。
【００５７】
以上，添付図面を参照しながら本発明の好適な実施形態について説明したが，本発明はかかる例に限定されない。当業者であれば，特許請求の範囲に記載された技術的思想の範疇内において，各種の変更例または修正例に想到し得ることは明らかであり，それらについても当然に本発明の技術的範疇に属するものと了解される。
【図面の簡単な説明】
【００５８】
【図１】本発明の一実施形態により，ハイブリッド端末機が１Ｘシステムに転換される際，１ｘＥＶ−ＤＯシステムに転換を通知するシステムを示す概略ブロック図である。
【図２ａ】１ｘＥＶ−ＤＯシステムを通じてハイブリッド端末機にデータを伝送する順方向リンクのチャネル構造を示すブロック図である。
【図２ｂ】１ｘＥＶ−ＤＯシステムを通じてハイブリッド端末機にデータを伝送する順方向リンクのチャネル構造を示すブロック図である。
【図３】ハイブリッド端末機から１ｘＥＶ−ＤＯシステムにデータを伝送する逆方向リンクのチャネル構造を示すブロック図である。
【図４】本発明の一実施形態により，ハイブリッド端末機が１Ｘモードに転換される際，１ｘＥＶ−ＤＯシステムから１Ｘシステムへの転換を１ｘＥＶ−ＤＯシステムに通知する方法を示すフロー図である。
【符号の説明】
【００５９】
１００    システム
１１０    ハイブリッド端末機
１２２    １Ｘ伝送機
１２４    １ｘＥＶ−ＤＯ伝送機
１３２    １Ｘ制御機
１３４    １ｘＥＶ−ＤＯ制御機
１４０    移動通信交換局
１５０    パケットデータサービングノード
１６０    ＩＰ網
【図１】
2006512870.tif 000003
【図２ａ】
2006512870.tif 000004
【図２ｂ】
2006512870.tif 000005
【図３】
2006512870.tif 000006
【図４】
2006512870.tif 000007
【国際調査報告】
2006512870.tif 000008
2006512870.tif 000009